(57)【特許請求の範囲】
【請求項１】
切り欠き部を有するパネルケース及びこのパネルケース内に収容され一部を前記切り欠き部から露出させた表示パネルからなる表示モジュールと、露出した前記表示パネルの一部に対応する形状の位置決め部材が設けられた前面ケースと、前記表示モジュールを前記前面ケースに固定する固定部材とを備えたことを特徴とする表示装置。
【請求項２】
前記表示パネルの一部は、表示セルを収容するフレームの一部であることを特徴とする請求項１に記載の表示装置。
【請求項３】
前記表示パネルの一部は、少なくとも２つの角部であることを特徴とする請求項１又は２に記載の表示装置。
【請求項４】
切り欠き部を有するパネルケースに一部を露出させて表示パネルを収容して表示モジュールを形成し、露出した前記表示パネルの一部を前面ケースに設けられた位置決め部材に密接して収容し、固定部材により前記表示モジュールを前記前面ケースに固定することを特徴とする表示装置の取付方法。
【請求項５】
前記表示モジュールは、表示セルを収容するフレームの一部を前記切り欠き部から露出させることを特徴とする請求項４に記載の表示装置の取付方法。
【請求項６】
前記表示モジュールは、表示パネルの少なくとも２つの角部を前記切り欠き部から露出させることを特徴とする請求項４又は５に記載の表示装置の取付方法。
【発明の詳細な説明】
【０００１】
【産業上の利用分野】
この発明は、表示装置及びその取付方法に関する。
【０００２】
【従来の技術】
表示装置として液晶を用いた液晶表示装置が広く普及している。図４は従来の液晶表示装置の構造を示す図である。液晶モジュール（表示モジュール）１は、液晶パネル２を板金からなるパネルケース（シールドケース）３に収容した構造となっている。パネルケース３の４つの角部にはツバ４が突出して形成され、各ツバ４には取付孔５が設けられ、さらに対角する２つのツバ４には位置決め孔６が設けられている。一方、液晶モジュール１を収容する箱型の前面ケース７には、表示開口部８の他、パネルケース３の各取付孔５に対応する位置に４つのボス孔９が設けられ、さらに各位置決め孔６に対応する位置に２つの位置決めピン１０が設けられている。そして、液晶モジュール１を前面ケース７に取り付ける場合には、前面ケース７の位置決めピン１０に液晶モジュール１の位置決め孔６を挿入し、ビス１１を取付孔６及びボス孔９に挿入して固定するようになっている。
【０００３】
【発明が解決しようとする課題】
しかしながら、上記従来の液晶表示装置においては、取付孔５及び位置決め孔６を設けるためにパネルケース３にツバ４を突出させて形成させているので、ツバ部分により装置のスペース効率が低下し小型化の障害になるという問題があった。また、パネルケース３がプレス加工で製造されるため、正確かつ均一な形状を得ることが困難であり、液晶パネル２とパネルケース３との間の取付誤差、液晶モジュール１と前面ケース７との間の取付誤差が発生し、前面ケース７と液晶パネル２との間に位置ずれが生じてまう。このため液晶パネル２の表示部が前面ケース７の表示開口部８からずれて、前面ケース７に正確に液晶モジュール１を取り付けることができないという問題があった。
この発明の目的は、スペース効率を向上させて小型化を可能にするとともに、前面ケースに正確に表示モジュールを取り付けることのできる表示装置及びその取付方法を提供することである。
【０００４】
【課題を解決するための手段】
請求項１に記載の表示装置の発明は、切り欠き部を有するパネルケース及びこのパネルケース内に収容され一部を切り欠き部から露出させた表示パネルからなる表示モジュールと、露出した表示パネルの一部に対応する形状の位置決め部材が設けられた前面ケースと、表示モジュールを前面ケースに固定する固定部材とを備えたものである。
請求項４に記載の表示装置の取付方法の発明は、切り欠き部を有するパネルケースに一部を露出させて表示パネルを収容して表示モジュールを形成し、露出した表示パネルの一部を前面ケースに設けられた位置決め部材に密接して収容し、固定部材により表示モジュールを前面ケースに固定するようにしたものである。
【０００５】
【作用】
請求項１及び４に記載の発明によれば、パネルケースの切り欠き部から露出した表示パネルの一部を前面ケースの位置決め部材に密接させて、固定部材により表示モジュールを前面ケースに取り付けるので、取り付けるため及び位置決めのためにパネルケースにツバを設ける必要がない。また、パネルケースを位置決めのために用いず、表示パネルと前面ケースとの間で直接これらを位置決めするので、表示パネルと前面ケースとの間に位置ずれを生じることがない。
【０００６】
【実施例】
以下、この発明の一実施例を液晶表示装置を例に採り図１及び図２を参照して説明する。
図１は液晶モジュールの構造を示す図であり、図２は図１の液晶モジュールを用いた液晶表示装置の構造を示す図である。
図１において、液晶セル（表示セル）２１は２枚のガラス基板２１ａ及び２１ｂに液晶（図示せず）を封入して形成したものである。樹脂製のフレーム２２の中央部にはこの液晶セル２１の形状に対応した凹部枠２３が形成され、フレーム２２の角部２４は側面２５よりもやや外側に突出して形成され、その角度は９０度となっている。また、第１パネルケース２６ａの中央部には液晶セル２１の表示領域に合わせて第１開口部２７が設けられ、各角部には切り欠き部２８ａが設けられている。同様に、第２パネルケース２６ｂの中央部には液晶セル２１の表示領域よりやや大きめの第２開口部２９が後述するバックライト用に設けられ、各角部には切り欠き部２８ｂが設けられている。
そして、液晶セル２１をフレーム２２の凹部枠２３に挿入して表示パネルを形成し、さらに第１及び第２パネルケース２６ａ、２６ｂにより表示パネルを挾み込んで固定する。この結果、図２に示すように、第１及び第２パネルケース２６ａ、２６ｂからなるパネルケース２６内に液晶パネル３０を収納した液晶モジュール３１が形成され、パネルケース２６の切り欠き部２８から液晶パネル３０のフレーム２２の角部２４が露出する。
【０００７】
前面ケース３２は、図２に示すように、前面板３３及びこれを囲む側面板３４からなる樹脂製の箱型形状となっており、その前面板３３の裏面の４つの角には、液晶モジュール３１の露出した角部２４に対応して位置決め部材３５がそれぞれ設けられている。各位置決め部材３５は「Ｌ」字形状の凸部からなり、その内壁面は液晶パネル３０の角部２４の形状に合わせて９０度の角度で形成され、各位置決め部材３５の各内壁面に液晶モジュール３１の各角部２４が密接して装着可能な構造となっている。さらに、前面板３３の中央部に表示開口部３６が設けられ、位置決め部材３５に液晶モジュール３１を装着した場合に、液晶モジュール３１の表示部がこの表示開口部３６から正確に露出する構造となっている。また、各位置決め部材３５の側面板３４側に隣接してそれぞれボス孔３７が設けられている。
【０００８】
バックライトユニット（固定部材）３８は、図２に示すように、前面ケース３２に内接して挿入可能な大きさの光拡散板３９、光拡散板３９の背面に取り付けられた陰極管４０、及び陰極管４０を背面側から覆う箱型の光反射部材４１を備えた構造となっている。この光拡散板３９には前面ケース３２のボス孔３７に対応する位置に取付孔４２が設けられている。
【０００９】
次に、この装置の取付方法について説明する。まず、前面ケース３２の位置決め部材３５に液晶モジュール３１の表示部が表示開口部３６から露出するように装着する。次いで、バックライトユニット３８を前面ケース３２に挿入して、ビス４３を各取付孔４２から挿入してボス孔３７に取り付ける。したがって、バックライトユニット３８の光拡散板３９により液晶モジュール３１を背面から押しつけて固定することができる。この結果、バックライトユニット３８からの光は液晶モジュール３１の背面の第２開口部２９を通して照射されることになる。
【００１０】
このように上記実施例においては、液晶モジュール３１のパネルケース２６の切り欠き部２８から露出したフレーム２２の角部２４を前面ケース３２の位置決め部材３５に密接させて、バックライトユニット３８により液晶モジュール３１を前面ケース３２に取り付けるので、取り付けるため及び位置決めのためにパネルケース２６にツバを設ける必要がない。したがって、装置のスペース効率を向上させて小型化を可能にすることができる。
また、樹脂製のフレーム２２の角部２４と樹脂製の前面ケース３２の位置決め部材３５とにより、液晶モジュール３１と前面ケース３２との位置決めを行なうので、液晶モジュール３１と前面ケース３２との間に位置ずれを生じることがない。したがって前面ケース３２に正確に液晶モジュール３１を取り付けることができる。
【００１１】
なお、上記実施例では液晶モジュール３１の固定部材としてバックライトユニット３８を用いたが、他の実施例として、図３に示すように前面ケース３２の前面板３３の背面に可撓性の２つ又はそれ以上のフック５１を設けて固定部材としてもよい。この場合、液晶モジュール３１を位置決め部材３５に合わせてフック５１の上から押し当てると、フック５１が矢印方向に開いて液晶モジュール３１を前面板３３に接触する位置に装着することができる。液晶モジュール３１が前面板３３に接触する位置に装着した後は、フック５１が元に戻って液晶モジュール３１の背面を抑えて、液晶モジュール３１を前面ケース３２に固定することができる。
【００１２】
また、上記実施例ではフレーム２２の角部２４の形状及び位置決め部材３５の内壁の形状を９０度としたが、この形状に限定するものではない。例えばフレーム２２の角部をＣ面取り又は円弧状とし、位置決め部材の内壁の形状をこれに合う形状にしてもよい。あるいは、フレーム２２の角部に孔を設け、前面ケース３２にこの孔に合う形状のピンを設けて位置決め部材としてもよい。さらに、上記実施例では露出する角部２４及びこれに対応する位置決め部材３５をそれぞれ４個所としたが、例えば露出する角部２４を対角する２個所とし、これに対応する位置決め部材３５を前面ケース３２に２個所設けるようにしてもよい。
【００１３】
また、上記実施例では液晶セル２１をフレーム２２に取り付ける構造としたが、液晶セル２１に切り欠き部を有するパネルケースを直接取り付けて、液晶セル２１の角部をこの切り欠き部から露出させる構造としてもよい。
【００１４】
また、上記実施例では液晶表示装置について説明したが、ＬＥＤ（発行ダイオード）、ＥＬＰ（エレクトロルミネセンス・ディスプレイ）、ＰＤＰ（プラズマ・ディスプレイ）等の表示装置にもこの発明を適用することができる。
【００１５】
【発明の効果】
請求項１及び４に記載の発明によれば、パネルケースの切り欠き部から露出した表示パネルの一部を前面ケースの位置決め部材に密接させて、固定部材により表示モジュールを前面ケースに取り付けるので、取り付けるため及び位置決めのためにパネルケースにツバを設ける必要がない。また、パネルケースを位置決めのために用いず、表示パネルと前面ケースとの間で直接これらを位置決めするので、表示パネルと前面ケースとの間に位置ずれを生じることがない。したがって、スペース効率を向上させて小型化を可能にするとともに、前面ケースに正確に表示モジュールを取り付けることができる。
【図面の簡単な説明】
【図１】この発明の実施例の液晶モジュールの構造を示す斜視図。
【図２】この発明の実施例の液晶表示装置の構造を示す斜視図。
【図３】この発明の他の実施例の液晶表示装置の一部の構造を示す斜視図。
【図４】従来の液晶表示装置の構造を示す斜視図。
【符号の説明】
２１  液晶セル
２２  フレーム
２４  フレームの角部
２６  パネルケース
２８  切り欠き部
３２  前面ケース
３５  位置決め部材
３８  バックライトユニット
【図１】
0003557699.tif 000002
【図２】
0003557699.tif 000003
【図３】
0003557699.tif 000004
【図４】
0003557699.tif 000005